(57)【要約】      （修正有）【課題】コーヒーを非高圧的に自動で均一に抽出するコーヒー抽出装置を提供する。【解決手段】コーヒー抽出装置は、ベース１と、加熱注水ユニット２と、駆動ユニット３と、回転台４と、容器５と、ドリッパと、制御装置７と、を含む。ベースは載置部１１２を備え、加熱注水ユニットはベースに設けられ、ウォータータンク２１、ヒータ２２および注水装置を備える。注水装置は、導水管２３１、ポンプ２３２および導出部２３３を備える。導出部は、ベースの上方に設けられ、載置部の中央に対応させた第１注水口２３４及び載置部の中央から離れた位置に対応させた少なくとも１つの第２注水口２３５を備える。回転台はベースの載置部の位置に設けられ、駆動ユニットに連動して回転する。容器は、回転台の上部に置かれる。ドリッパは、容器の開口部５１の上に置いたり取り出したりすることができる。制御装置は、ヒータ、ポンプ及びモータ３１の作動を制御可能である。【選択図】図３
0003224987.tif 000002
【実用新案登録請求の範囲】
【請求項１】
載置部を備えたベースと、
前記ベースに設けられ、ウォータータンク、ヒータ及び注水装置を備え、前記ヒータは前記ウォータータンク内又は前記ウォータータンクから流れ出る水を加熱することができ、前記注水装置は導水管、ポンプ及び導出部を備え、前記導水管は前記ウォータータンク及び前記導出部に接続され、前記ポンプは前記ウォータータンク内の水を吸い込んで前記導出部まで導水することができ、前記導出部は前記ベースの上方に設けられ、前記載置部の中央に対応させた第１注水口及び前記載置部の中央から離れた位置に対応させた少なくとも１つの第２注水口を備えた加熱注水ユニットと、
駆動ユニットと、
前記ベースの前記載置部の位置に設けられ、且つ前記駆動ユニットに連動して回転する回転台と、
前記回転台の上部に置くことができ、上方に開口部を備えている容器と、
前記容器の開口部の上に置いたり取り出したりすることができ、中央にチャンバを備えており、上方に開口部、下方に出口部を備えているドリッパと、
前記ヒータ、前記ポンプ及びモータと電気的に接続され、前記ヒータ、前記ポンプ及び前記モータの作動を制御することができる制御装置と、
を含むことを特徴とするコーヒー抽出装置。
【請求項２】
前記ベースは、底板部、サイド収容部、上注水部を備え、
前記底板部は、下チャンバを備え、
前記載置部は、前記底板部の側方の上部に設けられ、
前記サイド収容部は、前記底板部の前記載置部の側方部分に対応させて設けられ、
前記上注水部は、前記載置部の上方部分に対応させて設けられ、
前記ウォータータンクは、前記ベースの前記サイド収容部の位置に設けられ、上方に上蓋を備えており、
前記注水装置の前記導出部は、前記ベースの前記上注水部の位置に設けられることを特徴とする請求項１に記載のコーヒー抽出装置。
【請求項３】
前記ベースの前記底板部は、前記下チャンバを備え、
前記載置部は、貫通孔を備え、
前記駆動ユニットは、前記ベースの前記下チャンバに設けられた前記モータを備えており、
前記モータの出力軸は、前記載置部の前記貫通孔の位置に対応させており、
前記回転台は、前記ベースの前記載置部の位置に設けられ、中央に前記モータの出力軸と連動可能に接合された接合溝を備えていることを特徴とする請求項２に記載のコーヒー抽出装置。
【請求項４】
前記ベースの前記載置部は、環状凹溝を備え、
前記回転台の前記環状凹溝に対応する部分には、前記環状凹溝の底面に接触可能な凸部が設けられていることを特徴とする請求項１に記載のコーヒー抽出装置。
【考案の詳細な説明】
【技術分野】
【０００１】
本考案はコーヒー抽出装置に係り、主にコーヒーを自動で均一に抽出することができる抽出装置に関するものである。
【背景技術】
【０００２】
従来のハンドドリップ式コーヒーは、主に、ドリッパにペーパーフィルタを載せて、コーヒー粉をペーパーフィルタに入れ、使用者が熱湯をドリッパの様々な位置にゆっくりと注ぎ、ドリッパの様々な位置のコーヒー粉が熱湯に均一に触れるようにしながらコーヒーの香味を抽出するというものであり、上述の抽出過程は約３〜５分でコーヒーの香味を抽出することができる。しかし、ハンドドリップ式は抽出に少し時間がかかり、使用者はポットを把持しながら注ぐ必要があり、抽出において不便であるという欠点があった。
【考案の概要】
【考案が解決しようとする課題】
【０００３】
本考案は、コーヒーを非高圧的に自動で均一に抽出することができるコーヒー抽出装置に関するものである。
【課題を解決するための手段】
【０００４】
本考案の一態様のコーヒー抽出装置は、ベースと、加熱注水ユニットと、駆動ユニットと、回転台と、容器と、ドリッパと、制御装置と、を含む。ベースは、載置部を備えている。加熱注水ユニットは、ベースに設けられ、ウォータータンク、ヒータ及び注水装置を備えている。ヒータは、ウォータータンク内の水を加熱することができる。注水装置は、導水管、ポンプ及び導出部を備えている。導水管は、ウォータータンク及び導出部に接続されている。ポンプは、ウォータータンク内の水を吸い込んで導出部まで導水することができる。導出部は、ベースの上方に設けられ、載置部の中央に対応させた第１注水口及び載置部の中央から離れた位置に対応させた少なくとも１つの第２注水口を備えている。回転台は、ベースの載置部の位置に設けられ、且つ駆動ユニットに連動して回転する。容器は、回転台の上部に置かれ、上方に開口部を備えている。ドリッパは、容器の開口部の上に置いたり取り出したりすることができ、中央にはチャンバを備えており、上方に開口部、下方に出口部を備えている。制御装置は、ヒータ、ポンプ及びモータと電気的に接続され、ヒータ、ポンプ及びモータの作動を制御することができる。
【０００５】
さらに、ベースは、底板部、サイド収容部、上注水部を備えている。底板部は、下チャンバを備えている。載置部は、底板部の側方の上部に設けられる。サイド収容部は、底板部の載置部の側方部分に対応させて設けられる。上注水部は、載置部の上方部分に対応させて設けられる。ウォータータンクは、ベースのサイド収容部の位置に設けられ、上方に上蓋を備えている。注水装置の導出部は、ベースの上注水部の位置に設けられる。ベースの底板部は、下チャンバを備えている。載置部は、貫通孔を備えている。駆動ユニットは、ベースの下チャンバ部分に設けられたモータを備えている。モータの出力軸は、載置部の貫通孔の位置に対応させている。回転台は、ベースの載置部の位置に設けられ、中央にモータの出力軸と連動可能に接合された接合溝を備えている。
【０００６】
さらに、ベースの載置部は、環状凹溝を備えており、回転台の環状凹溝に対応する部分には、環状凹溝の底面に接触可能な凸部が設けられ、回転台の回転における摩擦力を小さくさせて、回転の安定性を高めることができる。
【考案の効果】
【０００７】
本考案を実施した場合には、第１注水口および第２注水口から熱湯が導出され、回転台、容器及びドリッパはモータの作動と連動して回転することができる。第１注水口から流下する熱湯はドリッパの中央部分をドリップすることができ、第２注水口から流下する熱湯はドリッパの環周部分をドリップすることができ、コーヒー粉を熱湯で均一に抽出して容器に導出させることができる。また、本考案は、制御装置がポンプを制御して第１注水口および第２注水口の流速を調整したり、モータ、ドリッパの回転速度を制御したりすることで様々な抽出効果を実現可能であり、抽出動作の安定性に優れ、香味を変化させる効果が得られる。
【図面の簡単な説明】
【０００８】
【図１】本考案の一実施形態によるコーヒー抽出装置の分解斜視図である。
【図２】本考案の一実施形態によるコーヒー抽出装置の斜視図である。
【図３】本考案の一実施形態によるコーヒー抽出装置の断面図である。
【図４】本考案の一実施形態によるコーヒー抽出装置による動作を説明する断面図である
【図５】本考案の一実施形態によるコーヒー抽出装置による動作を説明する上面図である
【考案を実施するための形態】
【実施例】
【０００９】
（一実施形態）
図１〜図５を参照して、本考案の一実施形態によるコーヒー抽出装置は、ベース１、加熱注水ユニット２、駆動ユニット３、回転台４、容器５、ドリッパ６、制御装置７を含む。ベース１は、底板部１１、サイド収容部１２、上注水部１３を備えている。底板部１１は、下チャンバ１１１を備えており、また側方の上部に載置部１１２を備えている。載置部１１２は、環状凹溝１１３を備えており、環状凹溝１１３の中心には貫通孔１１４が形成されている。サイド収容部１２は、底板部１１の載置部１１２の側方部分に対応させて設けられる。上注水部１３は、載置部１１２の上方部分に対応させて設けられている。
【００１０】
加熱注水ユニット２は、ベース１に設けられ、ウォータータンク２１、ヒータ２２、注水装置２３を備えている。ウォータータンク２１は、ベース１のサイド収容部１２の位置に設けられ、上方に上蓋２１１を備えている。ヒータ２２は、ウォータータンク２１内から流れ出る水９１（図４参照）を加熱することができる。注水装置２３は、導水管２３１、ポンプ２３２、導出部２３３を備えている。導水管２３１は、ウォータータンク２１及び導出部２３３に接続されている。ポンプ２３２は、ウォータータンク２１内の水を吸い込んで導出部２３３まで導水することができる。導出部２３３は、ベース１の上注水部１３の位置に設けられ、載置部１１２の中央に対応させた第１注水口２３４及び載置部１１２の中央から離れた位置に対応させた少なくとも１つの第２注水口２３５を備えている。
【００１１】
駆動ユニット３は、ベース１の下チャンバ１１１部分に設けられたモータ３１を備えている。モータ３１の出力軸３１１は、載置部１１２の貫通孔１１４に対応させた位置にある。
【００１２】
回転台４は、ベース１の載置部１１２の位置に設けられ、中央にはモータ３１の出力軸３１１と連動可能に接合された接合溝４１を備えている。環状凹溝１１３に対応する部分には、環状凹溝１１３内に位置し且つ環状凹溝１１３の底面と接触して移動することで摩擦力を減少させる凸部４２が設けられ、回転台４の回転の安定性を高めることができる。
【００１３】
容器５は、回転台４の上部に置くことができ、上方に開口部５１を備えている。
【００１４】
ドリッパ６は、容器５の開口部５１の上に置いたり取り出したりすることができる。ドリッパ６は、テーパ形状中空体であり、中央にチャンバ６１を備えており、上方に開口部６２、下方に出口部６３を備えている。チャンバ６１の表面には、複数のリブ６４が設けられている。
【００１５】
制御装置７は、ヒータ２２、ポンプ２３２、モータ３１と電気的に接続され、ヒータ２２、ポンプ２３２、モータ３１の作動を制御することができる。
【００１６】
図４および図５を参照して、本考案の実施においては、ウォータータンク２１内に水９１を収容することができる。ドリッパ６の上にペーパーフィルタ８を設置し、コーヒー粉９をペーパーフィルタ８に入れて、ドリッパ６を容器５の上に置き、容器５を回転台４に置く。制御装置７がヒータ２２、ポンプ２３２、モータ３１を作動させて、熱湯９１を第１注水口２３４、第２注水口２３５から導出する。
【００１７】
回転台４、容器５及びドリッパ６は、モータ３１の作動と連動して回転可能である。第１注水口２３４から流下する熱湯９１はドリッパ６の中央部分をドリップすることができ、第２注水口２３５から流下する熱湯９１はドリッパ６の環周部分をドリップすることができ、コーヒー粉９を熱湯９１で均一に抽出して、ペーパーフィルタ８、ドリッパ６の出口部６３から容器５に導出させることができる。
【００１８】
本考案は、制御装置７がポンプ２３２を制御して第１注水口２３４、第２注水口２３５の流速を調整したり、モータ３１、ドリッパ６の回転速度を制御したりすることで様々な抽出効果を実現可能であり、抽出動作の安定性に優れ、香味を変化させる効果が得られる。また、本考案は容器５を回転台４の上で回転させるだけで抽出可能であるため、良好な作動の安定性を備えている。
【００１９】
本考案は、上述によって自動で抽出することができ、作動の安定性に優れ、様々な香味に抽出することができる。上述の実施例は本考案を例示するものであり、決して本考案を限定するものではなく、本考案の精神に基づく同等の効果が得られる改変はすべて本考案の範囲に属する。
【符号の説明】
【００２０】
１  ベース
１１  底板部
１１１  下チャンバ
１１２  載置部
１１３  環状凹溝
１１４  貫通孔
１２  サイド収容部
１３  上注水部
２  加熱注水ユニット
２１  ウォータータンク
２１１  上蓋
２２  ヒータ
２３  注水装置
２３１  導水管
２３２  ポンプ
２３３  導出部
２３４  第１注水口
２３５  第２注水口
３  駆動ユニット
３１  モータ
３１１  出力軸
４  回転台
４１  接合溝
４２  凸部
５  容器
５１  開口部
６  ドリッパ
６１  チャンバ
６２  開口部
６３  出口部
６４  リブ
７  制御装置
８  ペーパーフィルタ
９  コーヒー粉
９１  水
【図１】
0003224987.tif 000003
【図２】
0003224987.tif 000004
【図３】
0003224987.tif 000005
【図４】
0003224987.tif 000006
【図５】
0003224987.tif 000007